(57)【要約】【課題】ユーザが所望のデータへ容易にアクセスすることができる情報処理システム等を提供することを課題とする。【解決手段】識別情報と、データ記憶手段においてデータが記憶されている記憶位置を特定するための位置情報とを対応付ける記憶位置テーブルを参照し、識別情報読取手段により識別情報記憶機器から読み取られた識別情報と対応付けられている位置情報を取得し、取得した位置情報により特定される記憶位置に記憶されているデータを提示する。【選択図】図９
2012133634.tif 000002
【特許請求の範囲】
【請求項１】
データを記憶するデータ記憶手段と、
識別情報を記憶した識別情報記憶機器から前記識別情報を読み取る識別情報読取手段と、
前記識別情報と、前記データ記憶手段において前記データが記憶されている記憶位置を特定するための位置情報とを対応付ける記憶位置テーブルを記憶するテーブル記憶手段と、
前記記憶位置テーブルを参照し、前記識別情報読取手段により読み取られた識別情報と対応付けられている前記位置情報を取得する位置情報取得手段と、
前記位置情報取得手段により取得された位置情報により特定される記憶位置に記憶されているデータを提示するデータ提示手段と、
を備えることを特徴とする情報処理システム。
【請求項２】
請求項１に記載の情報処理システムであって、
前記データ提示手段は、提示するデータがアプリケーションプログラムの処理対象となるデータファイルである場合に、当該データファイルを、対応するアプリケーションプログラムにより開いて提示することを特徴とする情報処理システム。
【請求項３】
請求項１に記載の情報処理システムであって、
前記データ提示手段は、提示するデータがアプリケーションプログラムである場合に、当該アプリケーションプログラムを起動することを特徴とする情報処理システム。
【請求項４】
請求項１乃至３の何れか一項に記載の情報処理システムであって、
前記識別情報記憶機器は、前記識別情報を記憶したＩＣタグ、非接触型ＩＣカード、又はこれらの少なくとも何れかを有する携帯端末装置であり、
前記識別情報読取手段は、前記識別情報記憶機器に対応するリーダ装置であることを特徴とする情報処理システム。
【請求項５】
データを記憶するデータ記憶手段と、
識別情報を記憶した識別情報記憶機器から前記識別情報を取得する識別情報取得手段と、
前記識別情報と、前記データ記憶手段において前記データが記憶されている記憶位置を特定するための位置情報とを対応付ける記憶位置テーブルを記憶するテーブル記憶手段と、
を備える情報処理システムにより実行される情報処理方法であって、
前記記憶位置テーブルを参照し、前記識別情報取得手段により取得された識別情報と対応付けられている前記位置情報を取得するステップと、
前記取得された位置情報により特定される記憶位置に記憶されているデータを提示するステップと、
を含むことを特徴とする情報処理方法。
【請求項６】
データを記憶するデータ記憶手段と、
識別情報を記憶した識別情報記憶機器から前記識別情報を取得する識別情報取得手段と、
前記識別情報と、前記データ記憶手段において前記データが記憶されている記憶位置を特定するための位置情報とを対応付ける記憶位置テーブルを記憶するテーブル記憶手段と、
を備える情報処理システムに含まれるコンピュータを、
前記記憶位置テーブルを参照し、前記識別情報取得手段により取得された識別情報と対応付けられている前記位置情報を取得する位置情報取得手段、及び
前記取得された位置情報により特定される記憶位置に記憶されているデータを提示するデータ提示手段、
として機能させることを特徴とする情報処理プログラム。
【発明の詳細な説明】
【技術分野】
【０００１】
本発明は、ユーザが所望のデータへ容易にアクセスするための情報処理システム等の技術分野に関する。
【背景技術】
【０００２】
従来、ユーザがデータにアクセスしようとする場合、記憶手段に記憶されているデータ数が多いと所望のデータにアクセスすることが容易ではなかった。そこで、ユーザが所望のデータに容易にアクセスできるように様々な技術が提案されている。具体的には、キーワード検索により所望のデータを検索してアクセスする方法がある。例えば、ＯＳ（Operating System）等は、キーワード検索によるデータ検索機能を備えている。また、特許文献１には、予めデータと複数のキーワードを対応付けておき、入力キーワードに基づいて１回目のデータ検索を行った後、検索されたデータと対応付けられているキーワードに基づいて２回目の検索を行い、それぞれで検索されたデータを検索結果としてユーザに提示する技術が開示されている。
【０００３】
また、データに対応するショートカットアイコンをデスクトップ上に作成しておくことで、容易にそのデータにアクセスすることができる。特許文献２には、アクセス数が多いデータに対応するショートカットアイコンを、そのデータが保存されているフォルダ毎に表示する技術が開示されている。
【先行技術文献】
【特許文献】
【０００４】
【特許文献１】特開２００３−２０８４４４号公報
【特許文献２】特開２００７−２７２６５０号公報
【発明の概要】
【発明が解決しようとする課題】
【０００５】
しかしながら、キーワード検索の場合には、キーワードを入力する操作が必要となるとともに、キーワードが適切でないと所望のデータを取得できないなどの問題がある。一方、ショートカットアイコンを用いる場合には、ショートカットアイコンの数が多くなるとデスクトップ上が乱雑となり、所望のデータに対応するショートカットアイコンを見つけ出すのに手間がかかってしまう。また、特許文献２の技術によれば、所望するデータが頻繁にアクセスするデータであればよいが、アクセス数が少ないデータにアクセスする場合には不適である。
【０００６】
本発明は、このような問題等に鑑みて為されたものであり、ユーザが所望のデータへ容易にアクセスすることができる情報処理システム等を提供することを課題とする。
【課題を解決するための手段】
【０００７】
上記課題を解決するために、請求項１に記載の発明は、データを記憶するデータ記憶手段と、識別情報を記憶した識別情報記憶機器から前記識別情報を読み取る識別情報読取手段と、前記識別情報と、前記データ記憶手段において前記データが記憶されている記憶位置を特定するための位置情報とを対応付ける記憶位置テーブルを記憶するテーブル記憶手段と、前記記憶位置テーブルを参照し、前記識別情報読取手段により読み取られた識別情報と対応付けられている前記位置情報を取得する位置情報取得手段と、前記位置情報取得手段により取得された位置情報により特定される記憶位置に記憶されているデータを提示するデータ提示手段と、を備えることを特徴とする。
【０００８】
この構成によれば、識別情報読取手段が識別情報記憶機器から識別情報を読み取ると、データ提示手段が当該識別情報と対応付けられている位置情報により特定される記憶位置に記憶されているデータを提示する。すなわち、ユーザは、所望のデータと対応付けられている識別情報が記憶されている識別情報記憶機器から、当該識別情報を識別情報読取手段に読み取らせることにより、当該所望のデータに容易にアクセスすることができる。
【０００９】
なお、データ提示手段によるデータの提示方法には、データが表示可能なデータである場合には表示部に表示させることにより提示させる方法があり、データが音声出力可能なデータである場合（すなわち、音声データである場合）にはスピーカから出力させることにより提示する方法がある。
【００１０】
また、請求項２に記載の発明は、請求項１に記載の情報処理システムであって、前記データ提示手段は、提示するデータがアプリケーションプログラムの処理対象となるデータファイルである場合に、当該データファイルを、対応する（当該データファイルを開くことが可能な）アプリケーションプログラムにより開いて提示することを特徴とする。
【００１１】
したがって、ユーザは、所望のデータファイルと対応付けられている識別情報が記憶されている識別情報記憶機器から、当該識別情報を識別情報読取手段に読み取らせることにより、当該所望のデータファイルにアプリケーションプログラムで開かれた状態でアクセスすることができる。これにより、ユーザは、所望のデータファイルでの作業に即座に取りかかることができる。
【００１２】
また、請求項３に記載の発明は、請求項１に記載の情報処理システムであって、前記データ提示手段は、提示するデータがアプリケーションプログラムである場合に、当該アプリケーションプログラムを起動することを特徴とする。
【００１３】
したがって、ユーザは、所望のデータがアプリケーションプログラムである場合には、当該アプリケーションプログラムと対応付けられている識別情報が記憶されている識別情報記憶機器から当該識別情報を、識別情報読取手段に読み取らせることにより、当該アプリケーションプログラムに起動した状態でアクセスすることができる。これにより、ユーザは、所望のアプリケーションプログラムでの作業に即座に取りかかることができる。
【００１４】
また、請求項４に記載の発明は、請求項１乃至３の何れか一項に記載の情報処理システムであって、前記識別情報記憶機器は、前記識別情報を記憶したＩＣタグ、非接触型ＩＣカード、又はこれらの少なくとも何れかを有する携帯端末装置であり、前記識別情報読取手段は、前記識別情報記憶機器に対応するリーダ装置（すなわち、識別情報機器の種別に応じて識別情報を読み取り可能なリーダ装置）であることを特徴とする。
【００１５】
したがって、ユーザは、ＩＣタグ、非接触型ＩＣカード、又はこれらの少なくとも何れかを有する携帯端末装置を、リーダ装置の近傍にかざすだけで識別情報をリーダ装置に読み取らせることができ、所望のデータに容易にアクセスすることができる。
【００１６】
また、請求項５に記載の発明は、データを記憶するデータ記憶手段と、識別情報を記憶した識別情報記憶機器から前記識別情報を取得する識別情報取得手段と、前記識別情報と、前記データ記憶手段において前記データが記憶されている記憶位置を特定するための位置情報とを対応付ける記憶位置テーブルを記憶するテーブル記憶手段と、を備える情報処理システムにより実行される情報処理方法であって、前記記憶位置テーブルを参照し、前記識別情報取得手段により取得された識別情報と対応付けられている前記位置情報を取得するステップと、前記取得された位置情報により特定される記憶位置に記憶されているデータを提示するステップと、を含むことを特徴とする。
【００１７】
また、請求項６に記載の発明は、データを記憶するデータ記憶手段と、識別情報を記憶した識別情報記憶機器から前記識別情報を取得する識別情報取得手段と、前記識別情報と、前記データ記憶手段において前記データが記憶されている記憶位置を特定するための位置情報とを対応付ける記憶位置テーブルを記憶するテーブル記憶手段と、を備える情報処理システムに含まれるコンピュータを、前記記憶位置テーブルを参照し、前記識別情報取得手段により取得された識別情報と対応付けられている前記位置情報を取得する位置情報取得手段、及び前記取得された位置情報により特定される記憶位置に記憶されているデータを提示するデータ提示手段、として機能させることを特徴とする情報処理プログラムである。
【発明の効果】
【００１８】
本発明によれば、ユーザは、所望のデータと対応付けられている識別情報が記憶されている識別情報記憶機器から当該識別情報を、識別情報読取手段に読み取らせることにより、当該所望のデータに容易にアクセスすることができる。
【図面の簡単な説明】
【００１９】
【図１】本実施形態におけるファイル呼出システムＳの概略構成を示す図である。
【図２】本実施形態におけるＰＣ１及びサーバ２の概要構成を示すブロック図である。
【図３】ファイル位置情報リストの一例を示す図である。
【図４】ファイル設定時におけるシーケンス図の一例である。
【図５】ファイル設定時における画面例である。
【図６】ファイル設定時における画面例である。
【図７】ファイル設定時における画面例である。
【図８】ファイル設定時における画面例である。
【図９】ファイル検索時におけるシーケンス図の一例である。
【図１０】ファイル呼出システムＳの使用方法を説明するための例図である。
【図１１】ファイル一覧画面１４０の画面例である。
【図１２】他の実施形態におけるＰＣ１の概要構成を示すブロック図である。
【発明を実施するための形態】
【００２０】
本発明の実施の形態を説明する。
【００２１】
まず、図１乃至図３を用いて、本発明の一実施形態にかかるファイル呼出システムＳの構成について説明する。
【００２２】
図１に示すように、ファイル呼出システムＳは、ＰＣ（Personal computer）１、サーバ２、及びＩＤを記憶可能な無線機器３により構成される。ＰＣ１とサーバ２はネットワークを介して接続されている。無線機器３とは、ＩＣタグやISO（International Organization for Standardization）14443 TypeA,TypeB、FeliCa（登録商標）等の規格に準拠した非接触型ＩＣカード、又はそれらを内蔵する携帯端末装置等であり、一意のＩＤを記憶する。また、ＰＣ１に接続されているリーダライタＲＷは、無線機器３の種別にそれぞれ対応する通信方式によりＩＤを読み取り可能なリーダライタである。なお、図１においては、ＩＣカード内蔵型携帯電話を無線機器３の一例として示している。
【００２３】
ファイル呼出システムＳでは、ユーザＵが無線機器３をＰＣ１と接続されたリーダライタＲＷにかざすことにより、無線機器３に記憶されたＩＤと対応付けられているデータファイルがＰＣ１の表示部に表示されるようになっている。
【００２４】
図２に示すように、ＰＣ１は、制御部１１と、記憶部１２と、表示部１３と、操作部１４と、通信部１５と、インターフェース（Ｉ／Ｆ）部１６と、を備えて構成されており、制御部１１、記憶部１２、表示部１３、操作部１４、通信部１５、Ｉ／Ｆ部１６はバスを介して相互に接続されている。
【００２５】
制御部１１は、演算機能を有するＣＰＵ（Central Processing Unit）、ＲＯＭ（Read Only Memory）、作業用のＲＡＭ（Random Access Memory）、及び発振回路等を備えて構成されており、操作部１４からの操作信号に基づいて、当該操作信号に含まれている操作情報に対応する動作を実現すべく上記各構成部材を制御するための制御情報を生成し、バスを介して当該制御情報を該当する構成部材に出力して当該各構成部材の動作を統轄制御する。
【００２６】
また、制御部１１は、記憶部１２等に記憶されたプログラムを実行することにより、本発明の位置情報取得手段、及びデータ提示手段として機能する。
【００２７】
記憶部１２は、ＯＳや各種アプリケーションプログラムなどを記憶する。プログラムは、例えば、他のサーバ装置等からネットワークを介して取得されるようにしても良いし、記録媒体に記録されてドライブ装置を介して読み込まれるようにしても良い。また、記憶部１２は、ユーザＵなどがアプリケーションプログラムを用いて作成したデータファイルＦなどを記憶する。なお、記憶部１２は、本発明のデータ記憶手段の一例である。
【００２８】
表示部１３は、液晶表示装置等で構成され、各種画面を表示することができるよう構成される。操作部１４は、キーボード及びマウス等で構成され、ユーザＵの操作に従って操作内容を示す操作信号を制御部１１に送信する。通信部１５はサーバ２等との通信を制御する。Ｉ／Ｆ部１６はリーダライタＲＷとの通信を制御する。
【００２９】
リーダライタＲＷは、ＮＦＣ(Near Field Communication)対応リーダライタなど、無線機器３と通信可能な装置である。リーダライタＲＷは、ＩＤ検知状態において、無線機器３が自らの信号検知部に近づいた際に当該無線機器３に記憶されているＩＤを読み取る。リーダライタＲＷは、ＩＤを読み取るとＩ／Ｆ部１６を介して制御部１１に送信する。なお、リーダライタＲＷは、本発明の識別情報読取手段の一例である。
【００３０】
一方、サーバ２は、制御部２１と、記憶部２２と、通信部２３と、を備えて構成されており、制御部２１、記憶部２２、通信部２３はバスを介して相互に接続されている。
【００３１】
制御部２１は、演算機能を有するＣＰＵ、ＲＯＭ、作業用のＲＡＭ、及び発振回路等を備えて構成されており、ＰＣ１からの要求に応じた処理を行うべく、上記各構成部材を制御するための制御情報を生成し、バスを介して当該制御情報を該当する構成部材に出力して当該各構成部材の動作を統轄制御する。
【００３２】
記憶部２２は、各種アプリケーションプログラムなどを記憶する。プログラムは、例えば、他のサーバ装置等からネットワークを介して取得されるようにしても良いし、記録媒体に記録されてドライブ装置を介して読み込まれるようにしても良い。また、記憶部２２は、ユーザＵがＰＣ１にてアプリケーションプログラムを用いて作成したデータファイルＦなどを記憶する。更に、記憶部２２は、ファイル位置情報リストＬを記憶する。なお、記憶部２２は、本発明のデータ記憶手段、及びテーブル記憶手段の一例である。
【００３３】
ここで、図３を用いて、ファイル位置情報リストＬについて説明する。ファイル位置情報リストＬは、無線機器３により記憶されているＩＤ毎に、データファイルＦが記憶されている記憶位置（ファイル位置）を特定するためのファイル位置情報を対応付けて記憶する。例えば、図３の例では、ＩＤ「E8 30 53 25」と、ファイル位置情報「//aaa/bbb/ccc/ddd/file_A」とが対応付けられている。ファイル位置情報は、データファイルＦの記憶位置とファイル名を示す情報を含む。「//aaa/bbb/ccc/ddd/file_A」の例では、「//aaa/bbb/ccc/ddd/」が記憶位置を示し、「file_A」がファイル名を示している。なお、データファイルＦの記憶位置は、いずれかのＰＣ１の記憶部１２、サーバ２の記憶部２２、或いはＰＣ１又はサーバ２に接続された外部記憶装置など、ＰＣ１から参照可能な位置であればどこでもよい。
【００３４】
次に、図４に示すシーケンス図と、図５乃至図８に示す画面例を用いて、ファイル呼出システムＳにおけるファイル設定時の流れについて説明する。
【００３５】
まず、ユーザＵは、ＩＤとデータファイルＦとを対応付けしようとする場合、ＰＣ１にて設定アプリケーションプログラム（以下、「設定アプリ」という）を起動させるための操作を操作部１４より行う。ＰＣ１の制御部１１は、当該操作を受け付けると設定アプリを起動させるとともに（ステップＳ１）、起動中の検索アプリケーションプログラム（以下、「検索アプリ」という）を停止させる（ステップＳ２）。なお、本実施形態においては、検索アプリがＰＣ１にて常時起動しているものとし、設定アプリが起動した場合に停止するものとするが、ユーザＵによる検索アプリを起動させるための操作等があった場合にのみ検索アプリを起動させる構成としてもよい。
【００３６】
次いで、ＰＣ１の制御部１１は、設定アプリに基づいて、リーダライタＲＷに対してＩＤ検知状態に移行するように要求する（ステップＳ３）。ＩＤ検知状態とは、リーダライタＲＷに対して無線機器３がかざされた場合に、当該無線機器３に記憶されたＩＤを読み取り可能な状態をいう。リーダライタＲＷは当該要求に従ってＩＤ検知状態に移行する（ステップＳ４）。
【００３７】
リーダライタＲＷがＩＤ検知状態にある場合に、ユーザＵにより無線機器３がリーダライタＲＷにかざされると（ステップＳ５）、リーダライタＲＷは無線機器３に記憶されたＩＤを読み取り（ステップＳ６）、ＰＣ１に送信する（ステップＳ７）。
【００３８】
次いで、ＰＣ１の制御部１１は、リーダライタＲＷが読み取ったＩＤとデータファイルＦとを対応付ける処理をユーザＵの操作に基づいて行う（ステップＳ８）。ここで、ユーザＵがＩＤとデータファイルＦとの対応付けを行う際の流れについて、図５乃至図８の画面例を用いて説明する。
【００３９】
制御部１１は、まず、図５に示す設定画面１００を表示部１３に表示させる。ＩＤ表示部１０１には、リーダライタＲＷが読み取ったＩＤが表示される。設定画面１００が表示されたら、ユーザＵは、ＩＤ表示部１０１に表示されたＩＤ（すなわち、無線機器３に記憶されたＩＤ）と対応付けるデータファイルＦを選択するために、参照ボタン１０２をクリックする。
【００４０】
制御部１１は、参照ボタン１０２がクリックされると、図６に示すファイル選択画面１２０を表示部１３に表示させる。次いで、ユーザＵは、記憶位置選択部１２１より、ＩＤと対応付けるデータファイルＦが記憶されている位置（例えば、デスクトップやフォルダなど）を選択する。これに対して制御部１１は、記憶位置選択部１２１で選択された記憶位置に記憶されているデータファイルＦをファイル一覧表示部１２２に表示させる。次いで、ユーザＵは、ファイル一覧表示部１２２より、ＩＤと対応付けるデータファイルＦを選択する。これに対して制御部１１は、ファイル一覧表示部１２２で選択されたデータファイルＦのファイル名を選択ファイル表示部１２３に表示させる。次いで、ユーザＵは、ＩＤと対応付けるデータファイルＦを選択ファイル表示部１２３に表示されたデータファイルＦで決定する場合には、開くボタン１２４をクリックする。一方、ユーザＵは、ＩＤと対応付けるデータファイルＦの選択を中止する場合にはキャンセルボタン１２５をクリックする。
【００４１】
制御部１１は、開くボタン１２４がクリックされると、図７に示すように、設定画面１００を表示部１３に表示させる。対応付けファイル表示部１０３には、ファイル選択画面１２０にて選択されたデータファイルＦのファイル位置情報（記憶位置及びファイル名）が表示される。ユーザＵは、ＩＤと対応付けるデータファイルＦが一つだけの場合には、完了ボタン１０５をクリックすることにより、対応付け作業を終了することができる。また、ユーザＵは、更に別のデータファイルＦを対応付ける場合には、追加ボタン１０６をクリックする。制御部１１は、追加ボタン１０６がクリックされると、図８に示すように、新たに、対応付けファイル表示部１０３Ａ、参照ボタン１０２Ａ、及び削除ボタン１０４Ａを表示させる。ユーザＵは、新たにＩＤと対応付けるデータファイルＦを、ファイル選択画面１２０を介して選択することができる。
【００４２】
なお、設定画面１００では、ＩＤとデータファイルＦを新たに対応付けることができる一方、既にファイル位置情報リストＬにてＩＤと対応付けられているデータファイルＦのファイル位置情報を削除する（対応関係を解消させる）ことができる。後者の場合において、削除ボタン１０４、１０４Ａがクリックされると、ＰＣ１の制御部１１は、該当するデータファイルＦのファイル位置情報をファイル位置情報リストＬから削除する。前者の場合において、削除ボタン１０４、１０４Ａがクリックされた場合には、該当のデータファイルＦのファイル位置情報がファイル位置情報リストＬに登録されない。
【００４３】
図４に戻り、ＰＣ１の制御部１１は、ＩＤとデータファイルＦの対応付け処理を終了すると、ＩＤ表示部１０１に表示されたＩＤと、対応付けファイル表示部１０３に表示されたデータファイルＦの記憶位置及びファイル名とに基づいて、サーバ２の記憶部２２に記憶されているファイル位置情報リストＬを更新する（ステップＳ９）。このとき、ＰＣ１の制御部１１は、ＩＤとファイル位置情報をサーバ２に送信し、サーバ装置２の制御部２１にファイル位置情報リストＬを更新させることとしてもよい。次いで、ＰＣ１の制御部１１は、設定アプリを停止させるとともに（ステップＳ１０）、検索アプリを起動させる（ステップＳ１１）。
【００４４】
次に、図９に示すシーケンス図を用いて、ファイル呼出システムＳにおけるファイル検索時の流れについて説明する。
【００４５】
ＰＣ１が起動すると、制御部１１は検索アプリを起動させる（ステップＳ３１）。次いで、制御部１１は、検索アプリに基づいて、リーダライタＲＷに対してＩＤ検知状態となるように要求する（ステップＳ３２）。リーダライタＲＷは当該要求に従ってＩＤ検知状態に移行する（ステップＳ３３）。
【００４６】
リーダライタＲＷがＩＤ検知状態にある場合に、ユーザＵにより無線機器３がリーダライタＲＷにかざされると（ステップＳ３４）、リーダライタＲＷは無線機器３に記憶されたＩＤを読み取り（ステップＳ３５）、ＰＣ１に送信する（ステップＳ３６）。次いで、ＰＣ１の制御部１１は、サーバ２の記憶部２２に記憶されているファイル位置情報リストＬを参照して、リーダライタＲＷから受信したＩＤに基づいて、当該ＩＤと対応付けられているデータファイルＦのファイル位置情報（記憶位置及びファイル名）を取得する（ステップＳ３７）。
【００４７】
次いで、ＰＣ１の制御部１１は、ステップＳ３７の処理で取得したファイル位置情報で特定される記憶位置に記憶されているデータファイルＦ（すなわち、ＩＤと対応付けられているデータファイル）を、対応するアプリケーションプログラム（当該データファイルＦを開くことができるアプリケーションプログラム）で開き、表示部１３に表示させる（ステップＳ３８）。このとき、データファイルＦが音声データファイルである場合には、再生した音声を図示しないスピーカから出力させるようにしてもよい。なお、制御部１１は、取得したＩＤに複数のデータファイルＦが対応付けられている場合には、それぞれのデータファイルＦをすべて開くこととする。
【００４８】
以上説明したように、本実施形態のファイル呼出システムＳは、ＰＣ１の記憶部１２（本発明の「データ記憶手段」の一例）又はサーバ２の記憶部２２（本発明の「データ記憶手段」の一例）が、データファイルＦ（本発明の「データ」の一例）を記憶し、リーダライタＲＷ（本発明の「識別情報読取手段」の一例）が、ＩＤ（本発明の「識別情報」の一例）を記憶した無線機器３（本発明の「識別情報記憶機器」の一例）からＩＤを読み取り、サーバ２の記憶部２２（本発明の「テーブル記憶手段」の一例）が、ＩＤと、記憶部１２又は記憶部２２においてデータファイルＦが記憶されている記憶位置を特定するためのファイル位置情報（本発明の「位置情報」の一例）とを対応付けるファイル位置情報リストＬ（本発明の「記憶位置テーブル」の一例）を記憶する。また、ＰＣ１の制御部１１（本発明の「位置情報取得手段」、「データ提示手段」の一例）は、ファイル位置情報リストＬを参照し、リーダライタＲＷにより読み取られたＩＤと対応付けられている記憶位置を取得し、取得した記憶位置に記憶されているデータファイルＦを提示する。
【００４９】
本実施形態のファイル呼出システムＳによれば、リーダライタＲＷが無線機器３からＩＤを読み取ると、ＰＣ１の制御部１１が当該ＩＤと対応付けられている記憶位置に記憶されているデータファイルＦを提示する。すなわち、ユーザＵは、所望のデータファイルＦと対応付けられているＩＤが記憶されている無線機器３から、当該ＩＤをリーダライタＲＷに読み取らせることにより、当該所望のデータファイルＦに容易にアクセスすることができる。
【００５０】
また、ＰＣ１の制御部１１は、提示するデータファイルＦがアプリケーションプログラムの処理対象となるデータファイルＦである場合に、当該データファイルＦを、対応するアプリケーションプログラムにより開いて表示する。したがって、ユーザＵは、所望のデータファイルＦと対応付けられているＩＤが記憶されている無線機器３から、当該ＩＤをリーダライタＲＷに読み取らせることにより、当該所望のデータファイルＦにアプリケーションプログラムで開かれた状態でアクセスすることができる。これにより、ユーザは、所望のデータファイルＦでの作業に即座に取りかかることができる。
【００５１】
また、無線機器３は、ＩＤを記憶したＩＣタグ、非接触型ＩＣカード、又はこれらの少なくとも何れかを有する携帯端末装置であり、リーダライタＲＷは、これら無線機器３に対応するリーダ装置である。したがって、ユーザは、無線機器３（ＩＣタグ、非接触型ＩＣカード、又はこれらの少なくとも何れかを有する携帯端末装置）を、リーダライタＲＷ（リーダ装置）の近傍にかざすだけでＩＤをリーダライタに読み取らせることができ、所望のデータファイルＦに容易にアクセスすることができる。
【００５２】
ファイル呼出システムＳの利用方法としては様々な利用方法が考えられる。例えば、図１０に示すように、データファイルＦをプリントアウトした紙媒体の文書Ｂを無線機器であるＩＣタグ３と一緒に管理することとするとともに、当該ＩＣタグ３のＩＤと当該データファイルＦのファイル位置情報（記憶位置及びファイル名）とをファイル位置情報リストＬにより対応付けておく利用方法が考えられる。この場合、ユーザＵは、紙媒体の文書Ｂの元となった電子媒体のデータファイルＦにアクセスしようとする場合、紙媒体の文書Ｂと一緒に管理されているＩＣタグ３をリーダライタＲＷにかざすだけで、即座にアクセスすることができる。
【００５３】
なお、本実施形態では、ＩＤと対応付けられるデータはアプリケーションプログラム等で作成されたデータファイルＦであったが、ファイル位置情報リストＬにおいてＩＤと対応付けられるデータはアプリケーションプログラム（本発明の「データ」の一例）そのものであってもよい。つまり、ＰＣ１の制御部１１は、リーダライタＲＷによりＩＤが読み取られた場合に、当該ＩＤに対応するアプリケーションプログラムを起動させるようにしてもよい。この場合、ユーザＵは無線機器３をリーダライタＲＷにかざすだけで、ＩＤと対応付けられたアプリケーションプログラムを起動させることができる。したがって、ユーザＵは、起動させたいアプリケーションプログラムがある場合には、当該アプリケーションプログラムと対応付けられているＩＤが記憶されている無線機器３から当該ＩＤを、リーダライタＲＷに読み取らせることにより、当該アプリケーションプログラムを起動させることができる。これにより、ユーザＵは、アプリケーションプログラムでの作業に即座に取りかかることができる。
【００５４】
また、本実施形態において、ファイル位置情報リストＬは、サーバ２の記憶部２２に記憶させておくこととしたが、他のＰＣ１から参照可能であれば、何れかのＰＣ１の記憶部１２に記憶させることとしてもよい。
【００５５】
また、本実施形態においては、ＰＣ１の制御部１１が、図９のステップＳ３８の処理で、ファイル位置情報により特定される記憶位置に記憶されているデータファイルＦを直ぐに、対応するアプリケーションプログラムで開く構成としたが、これに代えて、図１１に示すように、ＩＤと対応付けられているデータファイルＦの一覧を表示するファイル一覧画面１４０を表示部１３に表示させ、ファイル一覧表示部１４１の中からユーザＵに選択されたデータファイルＦを開く構成としてもよい。なお、ファイル一覧表示部１４１には、ＩＤと対応付けられているデータファイルＦのファイル名が少なくとも表示される（アイコンや記憶位置を合わせて表示することとしてもよい）。ファイル一覧表示部１４１に表示されるファイル名等はデータファイルＦの記憶位置と対応しており、ユーザＵが、ファイル一覧表示部１４１においてファイル名をクリックするなどしてデータファイルＦを選択した上で開くボタン１４２をクリックすることにより、制御部１１が、対応する記憶位置に記憶されているデータファイルＦを開くようになっている。一方、ユーザＵがキャンセルボタン１４３をクリックした場合には、制御部１１はファイル一覧画面１４０を閉じる。
【００５６】
また、本実施形態においては、リーダライタＲＷがＰＣ１に接続されるものとして説明したが、ＰＣ１がリーダライタＲＷを内蔵していてもよい。また、リーダライタＲＷは無線機器３から無線（非接触）でＩＤを読み取る構成としたが、これに代えて、接触型のＩＣカード及びリーダライタを用いることにより、互いの端子が接触している際にＩＤを読み取る構成としてもよい。
【００５７】
また、本実施形態においては、ファイル呼出システムＳは、ＰＣ１、サーバ２及び無線機器３により構成されているが、一台のＰＣ１及び無線機器３により構成することとしてもよい。具体的には、図１２に示すように、ＰＣ１の記憶部１２にデータファイルＦ及びファイル位置情報リストＬを記憶させることとする。この構成とする場合、図４のシーケンス図（設定時）におけるステップＳ９において、ＰＣ１の制御部１１は、サーバ２の記憶部２２に記憶されたファイル位置情報リストＬを更新するのではなく、自らの記憶部１２に記憶されたファイル位置情報リストＬを更新する。また、図９のシーケンス図（検索時）におけるステップＳ３７の処理では、ＰＣ１の制御部１１は、自らの記憶部１２に記憶されたファイル位置情報リストＬを参照して、リーダライタＲＷが取得したＩＤに基づいてファイル位置情報を取得するものとする。この構成とすることにより、ユーザＵは、サーバ２と接続されていないＰＣ１においても、リーダライタＲＷに無線機器３をかざすだけで、当該ＰＣ１の記憶部１２に記憶されているデータファイルＦに容易にアクセスすることができる。
【００５８】
また、ここまでは、ファイル位置情報リストＬを、ＰＣ１の記憶部１２又はサーバ２の記憶部２２に記憶させておく構成について説明したが、無線機器３が備える記憶部にファイル位置情報リストＬを記憶させる構成も考えられる。例えば、ＩＣカード内蔵型携帯電話の記憶部にファイル位置情報リストＬを記憶させておき、当該携帯電話をリーダライタＲＷにかざした際、リーダライタＲＷがＩＤとともに当該ファイル位置情報リストＬを読み取る構成とする。ＰＣ１の制御部１１は、リーダライタＲＷが読み取ったＩＤとファイル位置情報リストＬとを参照し、データファイルＦの記憶されている記憶位置を特定して当該データファイルを開くこととする。この場合におけるデータファイルＦの記憶位置は、基本的にはＰＣ１から参照可能な位置（ＰＣ１の記憶部１２や、ＰＣ１と接続されたサーバ２の記憶部２２）となるが、ＩＣカード内蔵型携帯電話の記憶部にＰＣ１の制御部１１がアクセス可能な場合には、ＩＣカード内蔵型携帯電話の記憶部であってもよい。この場合、ＰＣ１の制御部１１はＩＣカード内蔵型携帯電話の記憶部に記憶されているＩＤとファイル位置情報リストＬとに基づいて、ＩＣカード内蔵型携帯電話の記憶部に記憶されているデータファイルＦを提示することとなる。したがって、ユーザＵはリーダライタＲＷを備えたＰＣ１であれば、何れのＰＣ１であっても、ＩＣカード内蔵型携帯電話の記憶部に記憶されているデータファイルＦに即座にアクセスすることができる。
【符号の説明】
【００５９】
Ｓ  ファイル呼出システム
１  ＰＣ
１１  制御部
１２  記憶部
１３  表示部
１４  操作部
１５  通信部
１６  Ｉ／Ｆ部
ＲＷ  リーダライタ
２  サーバ
２１  制御部
２２  記憶部
Ｆ  データファイル
Ｌ  ファイル位置情報リスト
３  無線機器
【図１】
2012133634.tif 000003
【図２】
2012133634.tif 000004
【図３】
2012133634.tif 000005
【図４】
2012133634.tif 000006
【図５】
2012133634.tif 000007
【図６】
2012133634.tif 000008
【図７】
2012133634.tif 000009
【図８】
2012133634.tif 000010
【図９】
2012133634.tif 000011
【図１０】
2012133634.tif 000012
【図１１】
2012133634.tif 000013
【図１２】
2012133634.tif 000014